(57)【要約】  本発明は、ファニチャー（１１）又は家電機器（１２）用の収納棚ベース（１）に関し、収納棚ベース（１）は、ファニチャー（１１）又は家電機器（１２）の本体（１３，１４）に不動に配置される支持プレート（３）と、支持プレート（３）に対して確実にガイドされ且つ回転移動及び並進移動を同時に可能である収納棚（４）とを備え、支持プレート（３）及び収納棚（４）の向き合う受け面（３１，４２）はそれぞれ、少なくとも実質的に閉じられた環状の転走溝（３３，４３，４４）を有し、転走溝（３３，４３，４４）内では、転動要素（１０）がガイドされ、支持プレート（３）は、ファニチャー（１１）又は家電機器（１２）の本体（１３，１４）に、補助具（５）を用いて取り外し可能に固定されることができる、又は、ベースプレート（２）がファニチャー（１１）又は家電機器（１２）の本体（１３，１４）に不動に配置され、ベースプレート（２）には、支持プレート（３）が取り外し可能に固定される。本発明は、ファニチャー又は家電機器（１２）にも関する。【選択図】図１
2020531195.tif 000002
【特許請求の範囲】
【請求項１】
ファニチャー（１１）又は家電機器（１２）用の収納棚ベース（１）であって、
前記ファニチャー（１１）又は前記家電機器（１２）の本体（１３，１４）に不動であるように配置される支持プレート（３）と、
前記支持プレート（３）に対して確実にガイドされ且つ回転移動及び並進移動を同時に可能である収納棚（４）とを備え、
前記支持プレート（３）及び前記収納棚（４）の互いに向き合う受け面（３１，４２）はそれぞれ、少なくとも大部分が閉じられた周方向の転走溝（３３，４３，４４）を有し、前記転走溝（３３，４３，４４）内では、転動要素（１０）がガイドされる、収納棚ベース（１）において、
前記支持プレート（３）は、前記ファニチャー（１１）又は前記家電機器（１２）の前記本体（１３，１４）に、少なくとも１つの補助具を用いて取り外し可能に留め付けられる、又は、
ベースプレート（２）が前記ファニチャー（１１）又は前記家電機器（１２）の前記本体（１３，１４）に不動であるように配置され、前記ベースプレート（２）には、前記支持プレート（３）が取り外し可能に留め付けられる
ことを特徴とする、収納棚ベース（１）。
【請求項２】
ベースプレート（２）が、前記ファニチャー（１１）又は前記家電機器（１２）の前記本体（１３，１４）に不動であるようにさらに配置され、前記少なくとも１つの補助具が、前記ベースプレート（２）を前記ファニチャー（１１）又は前記家電機器（１２）の前記本体（１３，１４）に固定するベースプレートホルダ（５，５ａ，５ｂ）として設計されることを特徴とする、請求項１に記載の収納棚ベース（１）。
【請求項３】
前記ベースプレートホルダ（５）は、前記ベースプレート（２）の縁（２２）の周りに少なくとも部分的に係合し、前記支持プレート（２）の縁から延びる接続エレメント（６）が挿入可能である少なくとも１つの第１リセス（５４）を有し、挿入された状態の前記接続エレメント（６）は、形状的に嵌まる又は摩擦により係合するかたちで前記ベースプレートホルダ（５）内で保持されることを特徴とする、請求項２に記載の収納棚ベース（１）。
【請求項４】
前記接続エレメント（６）は、前記支持プレート（３）に一体的に形成されることを特徴とする、請求項３に記載の収納棚ベース（１）。
【請求項５】
前記接続エレメント（６）は、前記ベースプレートホルダ（５）の帯状セクション（５６）の背部に係合するフック部（６２）を有することを特徴とする、請求項３又は４に記載の収納棚ベース（１）。
【請求項６】
前記支持プレート（３）は、少なくとも１つの補助具を用いて前記ベースプレート（２）に取り外し可能に留め付けられることを特徴とする、請求項１〜５のいずれか一項に記載の収納棚ベース（１）。
【請求項７】
前記支持プレート（３）は、前記ベースプレート（２）の周りに係合する保持エレメントを有することを特徴とする、請求項１〜６のいずれか一項に記載の収納棚ベース（１）。
【請求項８】
前記保持エレメントは、前記支持プレート（３）に一体的に形成されることを特徴とする、請求項７に記載の収納棚ベース（１）。
【請求項９】
前記ベースプレートホルダ（５ａ，５ｂ）は、前記ベースプレート（２）の縁（２２）の周りに少なくとも部分的に係合し、前記支持プレート（３）及び前記ベースプレートホルダ（５ａ，５ｂ）は、形状的に嵌まる要素を有し、前記形状的に嵌まる要素を用いて、前記支持プレート（３）は、前記支持プレート（３）が前記ベースプレート（２）に角度を有してセットされるポジションから前記支持プレート（３）が前記ベースプレート（２）に載るポジションにまで旋回移動することによって、前記ベースプレートホルダ（５ａ，５ｂ）に嵌め合い式に固定されることができることを特徴とする、請求項２に記載の収納棚ベース（１）。
【請求項１０】
リセス（３７）が、前記ベースプレートホルダ（５ａ，５ｂ）に向き合う前記支持プレート（３）の後縁（３６）に一体的に形成され、前記リセス（３７）のそれぞれには、前記ベースプレートホルダ（５ａ，５ｂ）に一体的に形成されるフックエレメント（５３ａ，５３ｂ）が係合することを特徴とする、請求項９に記載の収納棚ベース（１）。
【請求項１１】
少なくとも１つのリセス（３９）が、前記ベースプレート（２）に向き合う前記支持プレート（３）の下側に、前記ベースプレートホルダ（５ａ，５ｂ）に向き合う前記縁（３６）の近くで一体的に形成され、前記支持プレート（３）が前記支持プレート（３）上へ旋回挿入されたときに、前記ベースプレートホルダ（５ａ，５ｂ）に一体的に形成された対向帯状体（５４ａ，５４ｂ）が前記リセス（３９）に突出することを特徴とする、請求項９又は１０に記載の収納棚ベース（１）。
【請求項１２】
前記支持プレート（３）の側縁それぞれの受け面（３８）は、前記支持プレート（３）の前記後縁（３６）の近くでストッパ（５５ａ，５５ｂ）のストッパ面（５６ａ，５６ｂ）それぞれに支えられ、前記ストッパ（５５ａ，５５ｂ）は前記ベースプレートホルダ（５ａ，５ｂ）から前記支持プレート（３）に向かって突出することを特徴とする、請求項９〜１１のいずれか一項に記載の収納棚ベース（１）。
【請求項１３】
前記収納棚（４）の上縁（４８）に被さるように係合する又は前記収納棚（４）の溝に係合する傾動防護エレメント（７）が、前記収納棚（４）の棚面（４１）に平行な傾動軸の周りで前記収納棚（４）が傾動することを防ぐように、前記支持プレート（３）に配置されることを特徴とする、請求項１〜１２のいずれか一項に記載の収納棚ベース（１）。
【請求項１４】
前記傾動防護エレメント（７）の１つのセクション（７３）は、前記ベースプレートホルダ（５）の第２リセス（５５）に挿入されることを特徴とする、請求項１３に記載の収納棚ベース（１）。
【請求項１５】
前記傾動防護エレメント（７）は、引掛けフックとして設計されることを特徴とする、請求項１３又は１４に記載の収納棚ベース（１）。
【請求項１６】
請求項１〜１５のいずれか一項に記載の少なくとも１つの収納棚ベース（１）を有する本体（１３）を備えるファニチャー（１１）。
【請求項１７】
請求項１〜１５のいずれか一項に記載の少なくとも１つの収納棚ベース（１）を有する本体（１４）を備える、特に冷蔵庫又は冷凍庫である家電機器（１２）。
【発明の詳細な説明】
【技術分野】
【０００１】
本発明は、請求項１のプリアンブル部分に係るファニチャー又は家電機器用の収納棚ベース及びファニチャー又は家電機器に関する。
【背景技術】
【０００２】
支持プレートと、支持プレート上でガイドされる収納棚とが、ベースプレート上に配置され且つ回転移動及び並進移動を同時に行うことができるタイプの収納棚ベースがあり、当該収納棚ベースは、ファニチャー又は冷蔵庫若しくは冷凍庫等の家電機器の収納スペースにおいて、他のタイプではアクセスできない表面にアクセスすることを可能にする。
【０００３】
例えば、ターンテーブルを搭載する収納棚ベースは既知であり、当該収納棚ベースでは、ターンテーブルは収納棚ベースのベースプレートに直接的に設置される（独国特許出願公開第４２１６７６５号明細書）。
【０００４】
過去に公開された独国特許出願公開第１０２０１７１０６１７０号明細書は、支持プレートに対して確実にガイドされ且つ回転移動及び並進移動を同時に行うことができる収納棚を開示する。
【先行技術文献】
【特許文献】
【０００５】
【特許文献１】独国特許出願公開第４２１６７６５号明細書
【特許文献２】独国特許出願公開第１０２０１７１０６１７０号明細書
【発明の概要】
【０００６】
これらの先行技術の収納棚ベースの不都合な点は、そのような収納棚ベースのアッセンブリが比較的複雑であるということである。
【０００７】
本発明の目的は、ファニチャー又は家電機器の本体内に容易に一体化されることができ且つ簡単な方法で組み込まれることができる、ファニチャー又は家電機器用の収納棚ベースを提供することである。
【０００８】
この目的は、請求項１の特徴を有するファニチャー又は家電機器用の収納棚ベースによって解決され、請求項１６の特徴を有するファニチャーによって解決され、請求項１７の特徴を有する家電機器によって解決される。
【０００９】
収納棚ベースは、支持プレートを有し、さらに、支持プレートに対して確実にガイドされ且つ回転移動及び並進移動を同時に可能である収納棚を有し、互いに向き合う支持プレート及び収納棚の受け面はそれぞれ、少なくとも大部分が閉じられた周方向の転走溝を有し、当該転走溝内では、転動要素がガイドされる。
【００１０】
支持プレートは、ベースプレートに取り外し可能に取り付けられる、又は少なくとも１つの補助具を用いてファニチャー又は家電機器の本体に取り外し可能に取り付けられる。
【００１１】
このことは、回転方向及び並進方向に移動可能である収納棚をファニチャー又は家電機器の本体に取り付けることを容易にする。
【００１２】
有利な実施態様例が、従属請求項の主題である。
【００１３】
一実施態様例では、収納棚ベースは、ファニチャー又は家電機器の本体に不動であるように固定されることができるベースプレートを備える。好ましくは、支持プレートは、当該ベースプレート上に配置される。
【００１４】
好ましくは、収納棚ベースはベースプレートを有し、補助具が、ベースプレートをファニチャー又は家電機器の本体に固定するベースプレートホルダとして、設計される。
【００１５】
収納棚ベースの有利な実施態様例によると、ベースプレートホルダは、少なくとも部分的にベースプレートの縁を包囲し且つ少なくとも１つの第１リセスを有し、当該第１リセスには、支持プレートの１つの縁から延びる接続エレメントの挿入が可能であり、挿入された状態では、接続エレメントは、ベースプレートホルダにおいて嵌め合い又は摩擦により保持される。
【００１６】
このようなベースプレートホルダは、例えば、ガラスプレートとして設計されるベースプレート用として、ベースプレートをファニチャー又は家電機器の本体に固定するためによく用いられる。
【００１７】
このベースプレートホルダにおいて対応するリセスを導入することは、極めて簡単であり、その結果、ベースプレートホルダをわずかに変更することによって、支持プレートは、収納棚を支持するために搭載されることが可能である。
【００１８】
接続エレメントは、好ましくは、支持プレートに一体的に形成される。分割された構成要素としてこのような接続エレメントを製造すること、及び、そのような接続エレメントを支持プレートに取り付けることも考えられ得る。
【００１９】
有利な実施態様例によると、接続エレメントは、ベースプレートホルダの帯状セクションの背部に係合するフック部として設計され、このことは、ベースプレートホルダへの支持プレートの極めて単純な搭載を可能にする。
【００２０】
さらなる実施態様例によると、支持プレートは、ベースプレートの周りに係合する保持エレメントを有する。
【００２１】
このような解決策は、ベースプレートホルダが支持プレートを保持するために利用できない又は適さない場合に、特に有利である。
【００２２】
ここで、保持エレメントも、好ましくは支持プレートに一体的に形成される。ここでも、このような保持エレメントを、支持プレートに留め付けられる分割された構成要素として設けることが考えられ得る。
【００２３】
別の実施態様例によると、ベースプレートホルダは、ベースプレートの１つの縁の周りに少なくとも部分的に係合する。支持プレート及びベースプレートホルダは、形状的に嵌まる要素を有し、当該形状的に嵌まる要素は、支持プレートがベースプレートに角度を有してセットされるポジションから支持プレートがベースプレートに載るポジションにまでの旋回移動によって、支持プレートがベースプレートホルダに形状的に嵌まるかたちで固定されることを可能する。
【００２４】
このことは、支持プレートが単純な旋回移動によってベースプレートホルダに搭載され且つベースプレートに設置されることを可能にする。
【００２５】
この目的のために、好ましくは、リセスが、ベースプレートホルダに向き合う支持プレートの後縁に形成され、当該リセス内には、ベースプレートホルダに一体的に形成されたフックエレメントが係合する。
【００２６】
このようなリセス及びフックエレメントは、ベースプレートホルダ又はベースプレートに簡単に形成されることができる。
【００２７】
さらなる好ましい実施態様によると、ベースプレートに対して収納棚が直線的に滑ることも確実に防ぐために、少なくとも１つのリセスが、ベースプレートに向き合う支持プレートの下側面に、ベースプレートホルダに向き合う縁の近くで一体的に形成され、支持プレートが支持プレート上へ旋回されたときに、ベースプレートホルダに形成された対向帯状体が当該リセス内に突出する。
【００２８】
ベースプレート上での収納棚の正確な、特に中央の位置決めであって、収納棚の並進移動に対して横切る方向での位置決めのために、支持プレートの側縁それぞれの接触面は、支持プレートの後縁の近くでストッパのストッパ面それぞれの上にある。当該ストッパはベースプレートホルダから支持プレートに向かって突出する。
【００２９】
本発明による接続部を介して、支持プレートは、取り外し可能に固定され、鉛直方向及び水平方向の両方の位置で保持される。支持プレートの意図しない緩みも、前方への傾動も、側方への摺動も防がれる。
【００３０】
本発明のさらなる有利な実施態様例によると、傾動防護エレメントが支持プレートに配置され、当該傾動防護エレメントは、収納棚の上縁の一部を覆い且つ収納棚面に平行な傾動軸を中心として収納棚が傾動することを防ぐ役割を果たす。又は、傾動防護エレメントは、収納棚の溝に係合するように設計されてもよい。
【００３１】
このような傾動防護エレメントの有利な点は、特に、収納棚への負荷が収納棚に配置されたものに不均等に分布する場合に、収納棚の傾動を防ぐことである。
【００３２】
好ましい実施態様例によると、傾動防護エレメントの或るセクションは、ベースプレートホルダの第２リセス内に位置し、それにより、傾動防護エレメントのさらなる安定化が達成される。好ましい実施態様例によると、傾動防護エレメントは、引掛けフックとして設計され、特にＣ形の引掛けフックとして設計される。
【００３３】
本発明に係る収納棚ベースは、好ましくは、ファニチャーにおいて使用されることができる、又は、特に冷蔵庫又は冷凍庫といった家電機器において使用されることができる。さらに、ファニチャー又は家電機器はそれぞれ、収納棚ベースを収容するための本体を有する。
【図面の簡単な説明】
【００３４】
【図１】図１は、本発明に係る収納棚ベースの一実施態様例の分解斜視図である。
【図２】図２は、図１に示す収納棚ベースの概略的な斜視図であり、支持プレートに対して収納棚が４５°回転されたポジションにある図である。
【図３】図３は、分解して示されるベースプレート、支持プレート及びベースプレートホルダの斜視図である。
【図４】図４は、図１による収納棚ベースの断面図である。
【図５】図５は、リセス内に挿入された支持プレートの接続エレメントを表すための、図４に示す断面の詳細図である。
【図６ａ】図６は、ベースプレートの後部の周りに係合するベースプレートホルダの別の実施態様例の斜視図である。
【図６ｂ】図６ｂは、図６ａに示すベースプレートホルダの詳細図である。
【図７ａ】図７ａは、図６ａによるベースプレートの後側部の周りに係合するベースプレートホルダの斜視図であり、支持プレート及び収納棚がベースプレートホルダに取り付けられた状態の図である。
【図７ｂ】図７ｂは、図７ａの詳細図である。
【図８ａ】図８ａは、収納棚を備えた支持プレートの下側面の斜視図である。
【図８ｂ】図８ｂは、図８ａに示され且つ組み付け時にベースプレートホルダと結合する支持プレートの後部領域の詳細図である。
【図９ａ】図９ａは、図６ａによるベースプレートの後部の周りに係合するベースプレートホルダの斜視図であり、支持プレートを取り付ける前の図である。
【図９ｂ】図９ｂは、図９ａに示される箇所の詳細図である。
【図１０】図１０は、図６ａによるベースプレートの後部の周りに係合するベースプレートホルダの斜視図であり、ベースプレートホルダのフックエレメント内に支持プレートを挿入した後の旋回挿入前の図である。
【図１１】図１１は、図６ａによるベースプレートの後部の周りに係合するベースプレートホルダの斜視図であり、ベースプレートホルダのフックエレメント内に支持プレートを挿入した後の機能発揮ポジションへの旋回後の図である。
【図１２】図１２は、本発明に係る収納棚ベースを備えるファニチャーを示す図である。
【図１３】図１３は、本発明に係る収納棚ベースを備える家電機器を示す図である。
【発明を実施するための形態】
【００３５】
以下において、本発明の好ましい実施態様例が添付の図面を用いてより詳細に説明される。
【００３６】
以下の図の説明において、頂、底、左、右、前及び後等の用語は、各図において選択される収納棚ベース、ベースプレート、支持プレート、収納棚、ベースプレートホルダ及び接続エレメント等の例示的な表現及び位置に単に言及するに過ぎない。これらの用語は、限定するものとして理解されるべきではなく、すなわち、これらの言及は、様々な作用ポジション又は鏡面対照的な解釈等に起因して変わり得る。
【００３７】
図１において、参照符号１は、収納棚ベースの実施態様例を全体として示す。
【００３８】
収納棚ベース１は、ベースプレート２と支持プレート３とを有し、ベースプレート２は、ファニチャー１１又は家電機器１２の本体１３，１４に動かないように固定されることができ、支持プレート３は、ベースプレート２上に配置される。
【００３９】
当該支持プレート３上において、回転移動及び並進移動を同時に行うことができる収納棚４がある。回転移動及び並進移動を同時に確実にガイドするために、支持プレート３及び収納棚４における互いに向き合う受け面３１，４２はそれぞれ、少なくとも大部分が閉じられた周方向の転走溝（３３，３４，４３，４４，４５，４６）を有し、当該転走溝内において、転動要素１０（複数）がガイドされる。ここで使用される転動要素１０は、特に玉である。
【００４０】
支持プレート３は、ベースプレート２に取り外し可能に留め付けられる、又は、支持プレート３は、図１に示すように、ファニチャー１１又は家電機器１２の本体１３，１４にベースプレート２を留め付けるベースプレートホルダ５に取り外し可能に留め付けられる。本ケースでは、ベースプレートホルダ５は補助具である。
【００４１】
いくつかのこのような補助具を用いて、ファニチャー１１又は家電機器１２の本体１３，１４に支持プレート３又はベースプレート２を固定することも考えられ得る。前者の場合、ベースプレート２が省略されてもよい。
【００４２】
少なくとも１つの補助具を用いて、支持プレート３をベースプレート２に取り外し可能に留め付けることも考えられ得る。
【００４３】
図１及び図２に示すように、収納棚４の支持を向上するために、内側転走溝３３，４３，４４と、外側転走溝３４，４５，４６とが、収納棚４に向き合う支持プレート３の受け面３１上と支持プレート３に向き合う収納棚４の受け面４２上との両方に設けられる。
【００４４】
支持プレート３の内側転走溝３３は、閉じられた周方向の転走溝として設計される。外側転走溝３４は、収納棚ベース１の前側部に向かって開放している。
【００４５】
収納棚４の回転移動及び並進移動を同時に確実にガイドするために、部分的に重なる２つの内側転走溝４３，４４と、同様に部分的に重なる２つの外側転走溝４５，４６とがそれぞれ、収納棚４の受け面４２内に導入されている。全ての転走溝４３，４４，４５，４６は、本ケースでは、閉じられた周方向の転走溝として設計される。
【００４６】
図２は、４５°回転したポジションにある収納棚ベース１を示す。この図で見ることができるように、転動要素１０（複数）の１つは、支持プレート３の表面の外側に配置される。
【００４７】
上記転動要素１０の紛失を防ぐために、複数の転動要素１０は、転動要素ケージ９に収容される。ここでは、転動要素ケージ９は、４つのアームを有する円形状リングの形状をしており、４つのアームは、円形状リングから半径方向外側に向かって延び、４つのアームの自由端のそれぞれでは、さらなる転動要素１０が収容される。
【００４８】
内側転走溝３３，４３，４４と外側転走溝３４，４５，４６との両方は、力が収納棚４に水平方向に加えられたとき、収納棚４が以下のように移動することができるように、形作られている。つまり、力が収納棚４に水平方向に加えられたとき、収納棚４は、図１に示す支持プレート３に対する収納棚４の向きに従った初期位置から、図２に示す中間ポジションを経由して、１８０°回転された積み降ろしポジションにまで移動することができ、積み降ろしポジションでは、収納棚４は、１８０°回転されているだけでなく、積み降ろしを容易にするために所定の距離だけ位置をずらされてもいる。
【００４９】
初期ポジションに戻す移動は、閉方向に水平方向に力を与えることによって、又は、回転方向を逆転することによって、同様に単純な方法で行われる。閉方向では、収納棚４は、初期の回転方向を維持しつつ閉ポジションにまでさらに移動される。
【００５０】
図１及び図３に示すように、ベースプレートホルダ５は、ベースプレート２の縁２２の周りに係合する。同時に、支持プレート３もベースプレートホルダ５に取り付けられる。
【００５１】
この目的のために、ベースプレートホルダ５は２つのリセス５４を有し、２つのリセス５４内にはそれぞれ、支持プレート３の１つの縁から延びる接続エレメント６が挿入されることができ、２つのリセス５４は、嵌め合い式の係止又は摩擦による係止によって、ベースプレートホルダ５において挿入された状態で保持される。
【００５２】
図１及び図３に示すように、接続エレメント６は、支持プレート３に一体的に形成される。ここでは、接続エレメント６は、舌状のウェブ６１として設計され、その自由端で上方へ厚くなる又は上方へ曲がるフック部６２を有する。図４及び図５に示すように、フック部６２は、ベースプレートホルダ５の帯状セクション５６の背部に係合する。
【００５３】
ベースプレートホルダ５は、本質的には、スロット５２を有する帯状形状のベース体５１で構成され、スロット５２は、ベース体５１の長手方向の長さを超えて延び、ベースプレート２の後縁２２を収容する役割を果たす。
【００５４】
スロット５２の上方には、留め付け帯状体５３が一体的に形成され、留め付け帯状体５３は、ベースプレートホルダ５をファニチャー又は家電機器の本体に留め付ける役割を果たし、留め付け帯状体５３を用いることで、ベースプレート２は、ファニチャー又は家電機器の本体に固定されることができる。
【００５５】
１つ以上のリセス５４が、接続エレメント６を収容するために留め付け帯状体５３内に導入される。その代わりに又はそれに加えて、ベースプレートホルダ５上の対応する接続エレメントと相互作用するリセスが、支持プレート３上にあってもよく、又は、支持プレート３及びベースプレートホルダ５の両方が、相互作用の接続エレメントを備えてもよい。
【００５６】
別の実施態様例のベースプレートホルダ５ａ，５ｂが、図６ａ〜図１１に基づいて以下に説明される。
【００５７】
本実施態様例のベースプレートホルダ５ａ，５ｂは、分割された２つのベースプレートホルダ５ａ及び５ｂで構成され、ベースプレートホルダ５ａ及び５ｂはそれぞれ、上述したベースプレートホルダ５と同様に、ベースプレート２の後縁２２を収容し且つベースプレート２の後縁２２の周りに係合するためにスロット５２ａ，５２ｂを有する。
【００５８】
２つのベースプレートホルダ５ａ，５ｂはそれぞれ、１つの側縁に、側部縁取り部５７ａを有する。図６ｂでは、図上で左のベースプレートホルダ５ａの側部縁取り部５７ａのみが示されている。
【００５９】
２つのベースプレートホルダ５ａ，５ｂは、図６ａ及び図６ｂに示すように、互いに鏡面対照である。
【００６０】
フックエレメント５３ａ，５３ｂが、支持プレート３に向き合うベースプレートホルダ５ａのベース体５１ａ，５１ｂの上側部のいずれにも、一体的に形成される。ここで示される実施態様例でのフックエレメント５３ａ，５３ｂは、後縁２２に近いベース体５１ａ，５１ｂの領域から垂直に上方へ延び、好ましくは約９０°で前方へ曲がる、すなわち、ベースプレート２の上側部２１の中央に向かって曲がる。
【００６１】
図５〜図１１に示すように、支持プレート３及びベースプレートホルダ５ａ，５ｂは、嵌め合い式の係止エレメントを有する。当該係止エレメントを用いることによって、支持プレート３は、支持プレート３がある角度でベースプレート２にセットされるポジションから、支持プレート３がベースプレート２上に載るポジションまでの旋回移動を利用して、ベースプレートホルダ５ａ，５ｂに嵌め合い式に固定されることができる。
【００６２】
フックエレメント５３ａ，５３ｂは、図７ａ、図７ｂ、図９ａ、図９ｂ、図１０及び図１１に示すように支持プレート３の後縁３６上のリセス３７内に係合する。支持プレート３の後縁３６上のこれらのリセス３７は、収納棚４及び後縁３６に向き合う支持プレート３の頂部からポケットのかたちで埋め込まれている。
【００６３】
スロットとしてリセス３７を設計すること、及び、９０°超の角度で包囲するようにフックエレメント５３ａ，５３ｂを設計することも考えられ得る。
【００６４】
図８ａ及び図８ｂに示すように、ここで示される実施態様例では、少なくとも１つのリセス３９が、ベースプレート２に向き合う支持プレート３の下側面において、ベースプレートホルダ５ａ，５ｂに向き合う縁３６の近くで、一体的に形成される。支持プレート３が支持プレート３上へ旋回されたとき、ベースプレートホルダ５ａ，５ｂ上に一体的に形成された対向帯状体５４ａ，５４ｂが、図１１に示すようにリセス３９内に突出する。
【００６５】
対向帯状体５４ａ，５４ｂは、例えば図６ｂに示すように、支持プレート３のスロット３５によって可能にされる収納棚４の並進移動の方向でフックエレメント５３ａ，５３ｂの前に、配置される。
【００６６】
支持プレート３の後縁３６のリセス３７は、好ましくは、これらリセス３７がフックエレメント５３ａ，５３ｂの幅に相当し且つこれ故収納棚４の並進移動と垂直な支持プレート３の位置決めをもたらしもするような幅で、寸法付けられる。
【００６７】
加えて、図６ｂ、図７ａ及び図７ｂに示すように、支持プレート３の後縁３６の両側部でベースプレート２に対して支持プレート３を正確に位置揃えするために、支持プレート３の側縁それぞれの接触面３８は、支持プレート３上での支持プレート３の旋回挿入された状態では、ストッパ５５ａ，５５ｂのストッパ面５６ａ，５６ｂそれぞれに接触した状態で支えられ得る。ストッパ５５ａ，５５ｂは、図６ｂ、図７ａ及び図７ｂに示すようにベースプレートホルダ５ａ，５ｂから支持プレート３に向かって突出する。
【００６８】
ストッパ５５ａ，５５ｂは、図６ｂに示すように、認識しやすく、好ましくはアングル状ピースとして設計され、支持プレート３を正確に位置決めするためのストッパ面５６ａ，５６ｂをそれぞれ有する。
【００６９】
図９ａ、図９ｂ、図１０及び図１１は、その上に配置された収納棚４を有する支持プレート３のベースプレートホルダ５ａ，５ｂ上での組み付け手順を示す。
【００７０】
図９ａ及び図９ｂに示すように、支持プレート３はまず、ベースプレート２に対するある角度で、好ましくは３０°と５０°との間の角度で、その後縁３６を用いてフックエレメント５３ａ，５３ｂにセットされ、フックエレメント５３ａ，５３ｂ内に押し込まれる。このポジションは図１０に示される。
【００７１】
その後、支持プレート３は、旋回移動されることによって、ベースプレート２上に下方へ旋回挿入される。支持プレート３の後縁３６は、フックエレメント５３ａ，５３ｂによって包囲され、このことによって、支持プレート３は、支持プレート３に対する収納棚４の並進移動の方向にベースプレート２に対して移動することが防がれる。図１１に示すように、対向帯状体５４ａ，５４ｂは、支持プレート３の下側面で窪んだリセス３９内に位置する。
【００７２】
さらに、図１及び図３に示すように、ベースプレートホルダ５は、スロット５２の上方に第２リセス５５を有し、第２リセス５５は、傾動防護エレメント７を収容する役割を果たす。
【００７３】
分割された２つのベースプレートホルダ５ａ及び５ｂを有する図６ａ〜図１１に示す実施態様例では、ベースプレートホルダ５ａ及び５ｂは、傾動防護エレメント７の脇に配置される。
【００７４】
このような傾動防護エレメント７は、支持プレート３上に配置もされ、収納棚４の上縁４８に上から被さるように係合するように形作られもする。
【００７５】
傾動防護エレメント７は、収納棚４の棚面４１に平行な傾動軸を中心として収納棚４が傾動することを防ぐ役割を果たす。このような傾動は、負荷が収納棚４の棚面４１に不均等に分布する場合に特に起こり得る。
【００７６】
傾動防護エレメント７は、好ましくはＣ形の引掛けフックとして設計され、傾動防護エレメント７の１つのセクション７３は、支持プレート３の後縁から突出し上方へ曲げられている。平坦な中央セクション７２は、上記セクション７３と接続され、中央セクション７２は、収納棚４の棚面４１を囲む壁部の鉛直方向の高さに適応する高さで延びる。中央セクション７２に隣接する傾動防護エレメント７の屈曲端部７１は、上記壁部の上縁４８を越えて突出し、傾動が起こった場合に収納棚４が傾動することを防ぐ。
【００７７】
保持エレメント（複数）を、支持プレート３自体に配置し、特にベースプレート２の周りに形成することで支持プレート３をベースプレート２に固定することを可能にするように配置することも考えられ得る。
【００７８】
支持プレート３及び収納棚４は、軸方向の固定のために固定デバイス８を用いて互いに固定される。
【００７９】
図１に示すように、固定デバイス８はネジ８１を有し、ネジ８１は、支持プレート３のスロット３５を通って下方から突出し、これにより、収納棚４が支持プレート３に対してスライド移動することを可能にする。
【００８０】
低摩擦のスライド移動を可能にするために、ワッシャ８２及び摺動リング８３がネジ８１に配置され、摺動リング８３は、スロット３５の領域におけるベースプレート２に面した支持プレート３の下側面と接触している。
【００８１】
収納棚４との軸方向の固定のために、搭載受け部４７が収納棚４の棚面４１に導入され、搭載受け部４７は、キャップ８４によってカバーされる。
【００８２】
当該キャップ８４のネジ８１に面する下側面には、雌ネジを有するネジ穴が設けられ、ネジ８１は、当該ネジ穴内に捩じ込まれることでキャップ８４をその搭載ポジションで軸方向に保持することができる。
【００８３】
ベースプレート２は、ガラスプレートとして設計されることができる。ベースプレート２を、木製プレート又はプラスチック若しくは金属製のプレートとして設計することも可能である。支持プレート３及び収納棚４は、好ましくは、プラスチック又はガラスで生成される。
【００８４】
例えば、特に冷蔵庫又は冷凍庫のような冷蔵装置として設計される家電機器の場合、例えばガラスプレートの形態である既に存在するベースプレート２は、収納棚ベース１を生成するために、支持プレート及び収納棚を安定させ且つ組み込むのに使用可能であるということが、特に有利である。なお、上記の収納棚ベース１は、並進移動及び回転移動を同時に行うことができ、それにより特に積み降ろしが容易であるものである。
【００８５】
図１２は、本発明に係るファニチャー１１の収納棚ベース（複数）を示し、ファニチャー１１は、収納棚ベース１（複数）が配置される本体１３を有する。
【００８６】
図１３は、本ケースでは冷却器具である本発明に係る家電機器１２の収納棚ベース（複数）を示し、家電機器１２は、収納棚ベース１（複数）が配置される本体１４を有する。
【符号の説明】
【００８７】
１  収納棚ベース
２  ベースプレート
２２  縁
３  支持プレート
３１  受け面
３３  転走溝
３４  転走溝
３５  スロット
３６  後縁
３７  リセス
３８  接触面
３９  溝
４  収納棚
４２  受け面
４１  棚面
４３  転走溝
４４  転走溝
４５  転走溝
４６  転走溝
４７  搭載受け部
４８  上縁
５  ベースプレートホルダ
５１  ベース体
５２  スロット
５３  留め付け帯状体
５４  第１リセス
５５  第２リセス
５６  帯状セクション
５ａ  ベースプレートホルダ
５１ａ  ベース体
５３ａ  スロット
５３ａ  フックエレメント
５４ａ  対向帯状体
５５ａ  ストッパ
５６ａ  ストッパ面
５７ａ  縁取り部
５ｂ  ベースプレートホルダ
５１ｂ  ベース体
５２ｂ  スロット
５３ｂ  フックエレメント
５４ｂ  対向帯状体
５５ｂ  ストッパ
５６ｂ  ストッパ面
６  接続エレメント
６１  ウェブ
６２  フック部
７  傾動防護エレメント
７１  屈曲端部
７２  中央セクション
７３  セクション
８  固定デバイス
８１  ネジ
８２  ワッシャ
８３  摺動リング
８４  キャップ
９  転動要素ケージ
１０  転動要素
１１  ファニチャー
１２  家電機器
１３  本体
１４  本体
【図１】
2020531195.tif 000003
【図２】
2020531195.tif 000004
【図３】
2020531195.tif 000005
【図４】
2020531195.tif 000006
【図５】
2020531195.tif 000007
【図６ａ】
2020531195.tif 000008
【図６ｂ】
2020531195.tif 000009
【図７ａ】
2020531195.tif 000010
【図７ｂ】
2020531195.tif 000011
【図８ａ】
2020531195.tif 000012
【図８ｂ】
2020531195.tif 000013
【図９ａ】
2020531195.tif 000014
【図９ｂ】
2020531195.tif 000015
【図１０】
2020531195.tif 000016
【図１１】
2020531195.tif 000017
【図１２】
2020531195.tif 000018
【図１３】
2020531195.tif 000019
【国際調査報告】
2020531195.tif 000020
2020531195.tif 000021
2020531195.tif 000022
2020531195.tif 000023